(57)【要約】【課題】  従来の蓄糞袋等の装着具は、着替え等の作業時に蓄糞袋が他人の目に曝される問題点や、ストーマベルトの外側に垂れ下がっているため蓄糞袋が揺れ便漏れ等の虞があって自由な行動が制約されていた。【解決手段】  輪状の帯状体と、帯状体の一部から垂下する袋保持部とからなり、袋保持部と対応する帯状体の部分は任意部分を開口可能であり、袋保持部は不透視性であり折り返して対応する帯状体に着脱可能に形成され、袋保持部を帯状体に装着した状態で蓄糞袋等の袋を帯状体と袋保持部との間に保持可能な蓄糞袋等の装着具によって上記課題を解決する。【選択図】  図１
2006204477.tif 000002
【特許請求の範囲】
【請求項１】
輪状の帯状体と、帯状体の一部から垂下する袋保持部とからなり、袋保持部と対応する帯状体の部分は任意部分を開口可能であり、袋保持部は不透視性であり折り返して対応する帯状体に着脱可能に形成され、袋保持部を帯状体に装着した状態で蓄糞袋等の袋を帯状体と袋保持部との間に保持可能なことを特徴とする蓄糞袋等の装着具。
【請求項２】
布製である輪状の帯状体と、帯状体の一部の下辺から垂下する袋保持部とからなり、袋保持部と対応する帯状体部分は、任意部分を開口可能であり、袋保持部は不透視性であり折り返してその下辺部を対応する帯状体の上辺部に着脱可能に形成され、装着時に蓄糞袋等の袋を帯状体と袋保持部との間に保持可能なことを特徴とする蓄糞袋等の装着具。
【発明の詳細な説明】
【技術分野】
【０００１】
この発明は、大腸ガンなどの治療のため肛門や直腸を手術し、人工的な便等の排泄孔（ストーマ）、いわゆる人工肛門、人工膀胱を付けた人（オストメイト）が、蓄糞袋や蓄尿袋を自分の身体に装着して支持する蓄糞袋等（蓄糞バッグ）の装着具（ストーマサポートベルト）に関する。
【背景技術】
【０００２】
大腸ガンや膀胱ガンで人工肛門や人工膀胱を付けているオストメイトは、「蓄糞袋」或は「蓄尿袋」を常時身体に装着することが必要になる。
【０００３】
蓄糞袋１００は、図４及び図５に示すように面板１０１を人工肛門等の排泄孔に取り付け、その面板１０１に蓄糞袋１００の取付部１０２を接続する。１０３は、蓄糞袋の排泄部である。オストメイトは、便意を感じたときに排便するのではなく、自然に人工肛門等の排泄孔から蓄糞袋１００へ排便され中に溜まるため、その蓄糞袋１００内の便は、排泄部１０３からトイレ等に流す。１０４は、入浴用キャップであり、入浴時に人工肛門等の排泄孔を塞ぐ。図４及び図５に示す蓄糞袋１００は、面板１０１と蓄糞袋とが着脱自在であるツーピースタイプであるが、図示しないが取付部を直接に人工肛門等の排泄孔に取り付けるワンピースタイプの蓄糞袋もある。
【０００４】
従来の蓄糞袋等の装着具（ストーマベルト）には、従来技術１（『ストマ用腹帯』特許第２７４２９８１号公報）があった。従来技術１は図６に示すようにベルト状の帯部２００の一個所に人工肛門等の孔に蓄糞袋１００の口を取付ける補助板（面板）１０１を取付ける取付部２０１を設けたものであった。そして帯部２００には、ベルト補強のために縦に芯材２０２が入っており、止着部２０３でオストメイトの腹部に巻き付けられる。
【特許文献１】特許第２７４２９８１号公報
【０００５】
そして蓄糞袋１００は、ストーマベルトの外側に垂れ下がった状態で支持されていた。
【０００６】
他の従来技術２としては、図７に示すように蓄糞袋等の装着具であるベルト状部２００の外側下部に蓄糞バッグ１００の落下を防止する袋状のポケット２０４を有するものも知られている。その他の従来技術としては、ゴム製の帯状部からなる装着具も知られていた。
【発明の開示】
【発明が解決しようとする課題】
【０００７】
しかし、従来技術１及び従来技術２等の蓄糞袋等の装着具は、蓄糞袋等が内容物が見えるように透明性の素材で作られており、かつベルトの外側に蓄糞袋が位置し覆われていないため、着替え等の作業時に蓄糞袋が他人の目に曝される問題点や、夏など薄い着衣の場合に外から透けて見える欠点などがあった。
【０００８】
更に、従来技術１のストーマベルトは、メッシュ素材から成るが芯材２０２が入っているため、柔らかな腹部に装着すると窮屈な不快感があった。従来技術１及び２等の従来のスマートベルトは、蓄糞袋の脱落防止に主眼が置かれており、装着すると動作が不自由で人の活動にマイナスな面が多く、長時間の装着には不向きであった。
【０００９】
また、蓄糞袋等は、ストーマベルトの外側に自由に可動できる状態で垂れ下がっているため、袋内の内容物が多量になるとその重量のため、何かの拍子に取付部１０１から蓄糞袋１００が外れたり、便漏れ等の虞があって自由な行動が制約されていた。図７に示すような従来技術２のポケット２０４では、通常時でも袋が入り切れず半分以上露出し、前後にぶらぶら揺れる欠点があり、更に袋が膨張すると入りきれなくなる虞があった。またポケット２０４が硬質材からなると装着者が動くたびに身体に当たり不快感がある欠点があった。
【００１０】
更に又、人工肛門の孔（ストーマ）の位置は、患者それぞれの症状や手術個所によって腹部のどの位置に開口されるか相違するため、その孔の位置に対応する蓄糞袋の口の位置がそれぞれ異なる。したがって、蓄糞袋の支持状態が、それぞれの患者によって異なるが、従来のストーマベルトであると、それに対応できず、蓄糞袋はそれぞれの人工肛門の孔（ストーマ）の位置から下方に垂れ下がらざるを得なかった。
【課題を解決するための手段】
【００１１】
上記の課題を解決するために、輪状の帯状体と、帯状体の一部から垂下する袋保持部とからなり、袋保持部と対応する帯状体の部分は任意部分を開口可能であり、袋保持部は不透視性であり折り返して対応する帯状体に着脱可能に形成され、袋保持部を帯状体に装着した状態で蓄糞袋等の袋を帯状体と袋保持部との間に保持可能なことを特徴とする蓄糞袋等の装着具を提案する。
【００１２】
また、布製である輪状の帯状体と、帯状体の一部の下辺から垂下する袋保持部とからなり、袋保持部と対応する帯状体部分は、任意部分を開口可能であり、袋保持部は不透視性であり折り返してその下辺部を対応する帯状体の上辺部に着脱可能に形成され、装着時に蓄糞袋等の袋を帯状体と袋保持部との間に保持可能なことを特徴とする蓄糞袋等の装着具を提案する。
【発明の効果】
【００１３】
袋保持部が、不透視性であるため、折り返して帯状体に装着した状態でその間に蓄糞袋等を保持可能なため蓄糞袋の内容が外部から見えず、着替え時や、風呂、プール内においても他人の視線を気に掛けずに動くことができるようになった。
【００１４】
また、蓄糞袋が、折り返された袋保持部と帯状体との間で確実に保持することでき、装着した状態で蓄糞袋が垂れ下がることや揺れることがない。また蓄糞袋の内容物が重くなっても充分に保持することが可能である。更に、帯状体にゴムや堅い芯材などの素材を使用しないため、皮膚に優しく活動がしやすい利便性がある。
【００１５】
更に、袋保持部と対応する帯状体の部分の任意場所を開口することが可能であるため、腹背のどの部分に人工肛門等の排泄孔が開口された人でも、蓄糞袋を横向き、上向き、下向き等の様々な状態で、袋保持部と帯状体の間に装着者であるオストメイトが様々な動きをしても移動しないように保持することができるようになった。したがって、従来不可能であった蓄糞袋を装着した状態での水泳や、温泉などへの入浴も可能になり、オストメイトのＱＯＬ（生活の質）の向上に寄与できる。
【発明を実施するための最良の形態】
【００１６】
次に、この発明の実施形態について、蓄糞袋等の装着具の斜視説明図である図１、装着具に蓄糞袋を装着した説明図である図２、蓄糞袋を保持した装着具をオストメイトに装着した状態の説明図である図３に基づいて説明する。
【００１７】
この発明の一つの実施形態である蓄糞袋等の装着具は、輪状の帯状体１と、帯状体１の一部の下辺である折返し部分３から垂下する袋保持部２とからなる。
【００１８】
帯状体１は、布等の直に肌に触れて感触の柔らかい素材からなり、幅は、１０ｃｍ〜２０ｃｍ程度で、蓄糞袋等が保持可能な幅を有している。帯状体１の輪の径は、装着者の腹周囲に対応した径に形成し、腹部に装着した場合に、落下しないように上辺部１１の全周囲及び下辺部の一部１２に平ゴム等の収縮部材１３を設けている。また、帯状体１の外周面であって袋保持部２のほぼ外周部分に対応する部分に面ファスナー１４を適宜に取付る。
【００１９】
更に、帯状体１の袋保持部２を折返し部分３で折り返したときに対応する面である帯状体１の挟持部分１０は、任意部分を容易に開口することが可能である。この任意部分は、装着具をオストメイトの腹部に腹巻き状に装着したときに、人工肛門等の排泄孔が開口している部分である。
【００２０】
袋保持部２は、帯状体１と同様の布等の柔軟性のある素材からなるが、少なくとも不透明性な素材で形成される。袋保持部２は、その上辺部２０で帯状体１の下辺部の一部１２に取り付ける。この実施例では帯状体１の下辺部の一部１２と、袋保持部２の上辺部２０との折返し部分３は、布を三重に折り返した縫製によって強度を増して取付けており、その長さは３０cm前後であるが、様々な長さの蓄糞袋１００が横向きに保持できる長さであればよい。
【００２１】
帯状体１の下辺部の一部１２と、袋保持部２の上辺部２０とが接続している部分は、折返し部分３である。この折返し部分３で袋保持部２は、帯状体１の外周面方向へ折り返し可能である。この実施形態では、袋保持部２と帯状体１を別個に形成し、折返し部分３で取り付けているが、別の実施形態では、帯状体１と袋保持部２とを一体の折り畳み可能で不透明性の素材で形成することも可能である。この発明を、帯状体１によりオストメイトへ取り付けた状態で、袋保持部２は、最初はエプロン状に垂下した状態になる。
【００２２】
袋保持部２は、帯状体１からエプロン状に垂下させた状態の下辺部に平ゴム等の収縮性素材２１を設けている。また、袋保持部２は、帯状体１からエプロン状に垂下させた状態の外周面側のほぼ外周部分になる左右両側部分と下辺部に面ファスナー２２を設ける。
【００２３】
次に、この発明の一つの実施形態である蓄糞袋等の装着具のオストメイトへの取付け方法、保持方法を説明する。
【００２４】
帯状体１の輪の径をそのオストメイトの装着部位である腹周囲径に合わせ、装着しても落ちない径として形成する。装着部位からの落下防止作用は、帯状体１の上辺部周囲に設けた平ゴム等の収縮部材１３による。また帯状体１の下辺部は、折返し部分３にのみ平ゴム等の収縮部材１３を設け、下辺部の後部等、その他の部位には収縮部材１３を設けないが、その理由は装着具の下辺部のズレ上がり作用を防ぐためである。
【００２５】
次に、帯状体１の挟持部分１０の一部にハサミ等の器具により孔を開ける。これは帯状体１を装着した状態で袋保持部２が、なるべく前方に位置させたときに、それぞれのオストメイトの人工肛門の排泄孔の開口位置に対応する部分である。これは、それぞれのオストメイトの排泄孔の開口位置が異なるためであり、これによって従来は蓄糞袋１００の位置が決まってしまい、排泄孔の位置によっては動きにくいオストメイトがあったが、ほぼ蓄糞袋１００をオストメイトの腹部側に位置させて保持することが可能になった。
【００２６】
排泄孔に取付けた面板１０１に蓄糞袋１００の取付部１０２を接続する。蓄糞袋１００の取付部の位置により、横方向、上方向、下方向の状態にして、袋保持部２を折返し部分３で上方へ折り返し、面ファスナー１４と２２を接着させることにより、蓄糞袋１００を袋保持部２と帯状体１の挟持部分１０の間で保持する。蓄糞袋１００は、外部からは袋保持部２に隠されて全く見えない状態になる。袋保持部２の帯状体１への着脱は、面ファスナー１４、２２により、誰でも容易に行うことが可能である。
【００２７】
また、蓄糞袋１００の内容物が溜まって重量が増しても、袋保持部２と帯状体１の間に挟持して保持されているため確実であり、水泳等の激しい運動にも落下したり外れたりする虞がない。
【００２８】
一定の時間により蓄糞袋１００の内容物が溜まった場合、袋保持部２と帯状体１の面ファスナー同士の結合を外して、蓄糞袋１の排泄部１０３から内容物をトイレ等に流す。その後、再び同様な作動により袋保持部２を上方に折り返し蓄糞袋１００を袋保持部２と帯状体１の間に挟持して保持する。
【産業上の利用可能性】
【００２９】
この発明は、今後とも増加傾向にある人工肛門、人工膀胱を付けた人（オストメイト）にとって蓄糞袋を保持する装着具として非常に有用であり、利用可能性は高い。特に、今まで不可能であった水泳や温泉入浴が可能になり、オストメイトのＱＯＬ（生活の質）の向上に寄与することができる。
【図面の簡単な説明】
【００３０】
【図１】この発明の一つの実施形態である蓄糞袋等の装着具の斜視説明図
【図２】同じく袋保持部を折り返して蓄糞袋を保持した状態の説明図
【図３】同じく蓄糞袋を保持した装着具をオストメイトに装着した状態の説明図
【図４】蓄糞袋の実施例であり面板と取り外した状態の説明図
【図５】蓄糞袋の実施例であり面板を袋に取り付けた状態の説明図
【図６】従来技術１の蓄糞袋等の装着具
【図７】従来技術２の蓄糞袋等の装着具
【符号の説明】
【００３１】
１  帯状体
１０  挟持部分
１１  上辺部
１２  下辺部の一部
１３  収縮部材（平ゴム等）
１４  面ファスナー
２  袋保持部
２０  上辺部
２１  収縮部材（平ゴム等）
２２  面ファスナー
３  折返し部分（取付部分）  
１００  蓄糞袋
１０１  面板
１０２  取付部
１０３  排泄部
１０４  入浴用キャップ
【図１】
2006204477.tif 000003
【図２】
2006204477.tif 000004
【図３】
2006204477.tif 000005
【図４】
2006204477.tif 000006
【図５】
2006204477.tif 000007
【図６】
2006204477.tif 000008
【図７】
2006204477.tif 000009